(57)【特許請求の範囲】
【請求項１】
複数種の発電設備を有する発電所本体と、この発電所本体からの検出信号を予め設定された各種制御情報に基づいて変換し、その変換結果を監視センターに知らせる制御計算機とからなる発電システムとは異なる場所に配置され、前記各種制御情報を該各種制御情報及び前記発電設備の種別毎に分けて記憶した記憶媒体を解読して、所望の帳票を作成する発電制御情報複写装置であって、
前記記憶媒体の挿入に伴って、その記憶媒体に記憶されている前記種別毎の制御情報を読み込み、該読み込んだ制御情報の一定数の項目を抽出し、これらの項目データを予め定められている順に整理した分類データを生成し、これをデータベースに保存するデータ変換部と、
前記データ変換部によって前記データベースに保存された前記各種制御情報の分類データを、順次読み込んで予め設定されている所定の帳票フォーマットに書き込む帳票作成部と、
前記帳票作成部の帳票フォーマットに対応する帳票を選択し、この選択された帳票に前記帳票フォーマットのデータを印字する帳票印刷部と
を有することを特徴とする発電システムの登録制御情報複写装置。
【請求項２】
前記データ変換部は、
前記記憶媒体の各種制御情報を読み込み、各種別毎にそれぞれ一定数の項目データを１ポイントとして抽出するポイントデータ抽出手段と、
前記ポイントデータ抽出手段によって抽出された１ポイント分のデータを所定順に一列に整理したレコードを生成し、これを前記項目データとして出力するレコード化手段と、
前記項目データが出力される毎に、前記データベースに登録されている前記出力された項目データに対応する種別のレコードファイルを更新するデータベース更新手段と
を有することを特徴とする請求項１記載の発電システムの登録制御情報複写装置。
【請求項３】
前記各種制御情報のいずれかが変更されたときは、その変更理由を入力させ、入力した変更理由をその種別の項目データに付加して格納させる変更履歴格納制御部と
を有することを特徴とする請求項１又は２記載の発電システムの登録制御情報複写装置。
【請求項４】
前記データ変換部は、
前記記憶媒体から読み込んだ各種制御情報の最終の前記１ポイントまで前記各部を制御して前記レコードの単位毎の前記分類データを順次、生成させ、この分類データに前記データベースの分類データを更新させるデータ変換制御手段と
を有することを特徴とする請求項１、２又は３記載の発電システムの登録制御情報複写装置。
【発明の詳細な説明】
【０００１】
【発明の属する技術分野】
本発明は、発電所側の制御計算機の登録データを、発電所側と離れた箇所に配置された地点において、制御情報の種別毎のファイルをどのような制御計算機であっても一目で分かる統一された形式にして生成する発電システムの登録制御情報複写装置に関する。
【０００２】
【従来の技術】
一般に火力発電所は、図７に示すように複数種類の発電設備を有する発電部本体１と、この発電部本体１からの検出信号を登録情報に基づいて変換する制御計算機３と、制御計算機３からの変換データを所定の形式にして表示する監視センタの表示部５と備えた発電システムを構築している。
【０００３】
この制御計算機３は、発電部本体１に設けられているボイラ、タービン等の温度を検出するセンサ、流量を検出するセンサ等からの信号等を入力して、所定の変換を行った後に監視センタの表示部５に送出して、発電部本体１が現在どのような状況かを知らせる。
【０００４】
この所定の変換を行うために、図７に示す制御計算機３のデータベース７には、入力ポイント名称及び信号を変換するための基準レンジ等を格納した基準値変換テーブルと、各信号の種類に応じて設けられたインターフェイスボードの配置番号等を格納した信号位置情報テーブル等がそれぞれ種別毎に格納されている。
【０００５】
この基準値変換テーブル及び信号位置情報テーブル（以下総称して単に登録データという）は、制御計算機３が発電所に設定されたとき、メーカの工場の作業員（以下メーカの作業員という）によって作成されたコーディングシートである帳票を元にジェネレータ９がデータベース７に作成するものである。
【０００６】
また、メーカの作業員によって作成される帳票は、基準値設定用帳票１１（Ｉ／Ｏリストともいう）と、信号位置設定用帳票１３（Ｉ／Ｏサマリともいう）等（以下総称して登録データという）がある。例えば、基準値設定用帳票１１は、図８に示すように、制御計算機３に入力する温度センサ信号の入力箇所、信号の形態等を示すＰＩＤ欄と、入力箇所の名称欄と、信号レンジ欄等の項目からなっている。
【０００７】
例えば、図８に示す最上位欄（３段に渡っている）に記載された事項は、ユニット２のプラント補機からのアナログ入力である軸受温度においては、１〜１０ｍＶの範囲は、０〜１００度とすることを示している。
【０００８】
また、基準値設定用帳票１１は、温度センサからの信号等を規定したものをアナログ入力用のリスト、各接点の状況を規定したものを接点入力用のリスト、水量を規定したものをパルス入力用のリスト、何らかのイベントが発生したときの時間を計測したものを計算値用のリスト、エンコーダ等からの出力を規定したものをアナログ出力用のリスト等という。
【０００９】
また、信号位置設定用帳票１３は、図９に示すように発電部本体１からの各種信号を入力する中継ボードにどのような信号が入力するかを定義した項目からなっている。
【００１０】
例えば、ＰＯＳ「０」、ＧーＮＯ「００」は、ポイント２ｂ００４におけるセンサからのケーブル接続位置を示し、かつ制御計算機３内のそのポイントの相対インデックス（ＩＩＤという）となり、データベース７における位置を示している。
【００１１】
このような帳票をジェネレータ９が読み込んで所定の形式に編集した基準値変換テーブルと信号位置情報テーブルとをデータベース７に登録する。
【００１２】
そして、制御計算機３のデータ変換部１５は発電部本体１に設けられている各種センサからのアナログ信号、パルス信号等が入力する毎にデータベース７に登録されているテーブルの値に基づいて変換したデータを監視センタの表示部５に表示していた。
【００１３】
また、発電所側の仕様変更により、データベース７に登録された各種テーブルを変更することがある。このようなときは、制御計算機３のデータ変更部１７を用いてメーカの作業員がデータベース７のテーブルの内容を変更する。
【００１４】
この変更に伴って、メーカの作業員は、テーブルを作成したとき元になった基準値設定用帳票１１、信号位置設定用帳票１３等も変更していた。
【００１５】
さらに、基準値設定用帳票１１及び信号位置設定用帳票１３は、制御計算機３を製造したメーカの工場にも届けられて管理され、常に制御計算機３の仕様変更に応じられるようにされていた。
【００１６】
【発明が解決しようとする課題】
しかしながら、データベースの登録データを変更する毎に、メーカの作業員が登録データの元になった帳票を手作業で修正しているので、修正する毎に帳票が汚れてきて非常に見にくくなるという問題点があった。
【００１７】
また、データベースの登録データの変更が多岐に渡る場合は、修正する帳票の枚数も非常に多くなり、メーカの作業員にとっては登録データの変更に伴う帳票修正の作業工数が非常に多くなるという問題点があった。
【００１８】
また、修正する帳票の数が多くなると、修正誤りが発生する。このように修正誤りが発生すると、メーカ側で管理している帳票とデータベースの内容が相違していることになるので、メーカ側では帳票を管理していても発電所側の仕様変更、障害の発生に直ぐに対処できないという問題点があった。
【００１９】
さらに、メーカの作業員は登録データの変更をしても、帳票の変更を怠る場合がある。このような場合には、メーカ側において帳票を管理していても、制御計算機のデータベースの内容及び現場の帳票の内容と相違しているので、メーカ側では発電所側の仕様変更、障害の発生に対処するために、再度データベースの内容を洗い出して正しい帳票に修正した後に、仕様変更、障害発生に対処することになるので、発電所側に迷惑をかけるという問題点があった。
【００２０】
一方、発電所側に設置される制御計算機というのは、様々な種類（古いものや仕様の違いによるもの等）がある。このため、メーカ側の作業員は、これらの種類に応じた形式の帳票に所定の制御情報を書き込んでいた。
【００２１】
従って、機種が相違する毎に、メーカ側はその機種にあった形式で帳票を作成しなければならないので、帳票の作成が非常に煩わしいと共に、記載箇所が複数枚、複数箇所に及ぶので作業工数が非常に多くなるという問題点があった。
【００２２】
本発明は以上の問題点を解決するためになされたもので、発電所側の制御計算機の制御情報を所定の形式で採集させ、この採集した制御情報からどのような機種であっても一目で分かる統一された形式の帳票を自動的に作成して発行する発電システムの登録制御情報複写装置を得ることを目的とする。
【００２３】
【課題を解決するための手段】
請求項１は、複数種の発電設備を有する発電所本体と、この発電所本体からの検出信号を予め設定された各種制御情報に基づいて変換し、その変換結果を監視センターに知らせる制御計算機とからなる発電システムとは異なる場所に配置され、前記各種制御情報を該各種制御情報及び前記発電設備の種別毎に分けて記憶した記憶媒体を解読して、所望の帳票を作成する発電制御情報複写装置である。
前記記憶媒体の挿入に伴って、その記憶媒体に記憶されている前記種別毎の制御情報を読み込み、該読み込んだ制御情報の一定数の項目を抽出し、これらの項目データを予め定められている順に整理した分類データを生成し、これをデータベースに保存するデータ変換部と、前記データ変換部によって前記データベースに保存された前記各種制御情報の分類データを、順次読み込んで予め設定されている所定の帳票フォーマットに書き込む帳票作成部と、前記帳票作成部の帳票フォーマットに対応する帳票を選択し、この選択された帳票に前記帳票フォーマットのデータを印字する帳票印刷部とを備えたことを要旨とする。
【００２４】
請求項１においては、発電システムの登録制御情報複写装置のデータ変換部が記憶媒体から発電所本体の各種制御情報を読み、発電設備及び信号の種別並びにその各種制御情報の項目のデータ毎に分類して格納する。
【００２５】
そして、帳票作成部がこの格納された各種制御情報の項目のデータを予め設定されている帳票フォーマットに書き込んで帳票印刷部に出力して印刷させる。
【００２６】
請求項２は、  前記データ変換部は、
前記記憶媒体の各種制御情報を読み込み、各種別毎にそれぞれ一定数の項目データを１ポイントとして抽出するポイントデータ抽出手段と、
前記ポイントデータ抽出手段によって抽出された１ポイント分のデータを所定順に一列に整理したレコードを生成し、これを前記項目データとして出力するレコード化手段と、前記項目データが出力される毎に、前記データベースに登録されている前記出力された項目データに対応する種別のレコードファイルを更新するデータベース更新手段とを備えたことを要旨とする。
【００２７】
請求項２においては、ポイントデータ抽出手段が記憶媒体の各種制御情報の種別毎に、それぞれ所定項目を１ポイントとして抽出し、レコード化手段が抽出された１ポイント分のデータを所定順に一列に整理し、これをレコードデータとして出力する。
【００２８】
そして、データベース更新手段はレコードデータが出力される毎に、予めデータベースに登録されているレコードデータに対応する種別のレコードファイルを更新する。
【００２９】
請求項３は、前記各種制御情報のいずれかが変更されたときは、その変更理由を入力させ、入力した変更理由をその種別の項目データに付加して格納させる変更履歴格納制御部とを備えたことを要旨とする。
【００３０】
請求項３においては、変更履歴格納制御部が各種制御情報のいずれかが変更されると、その変更理由を入力させ、その種別の項目に付加して格納する。
【００３１】
請求項４は、前記データ変換部は、前記記憶媒体から読み込んだ各種制御情報の最終の前記１ポイントまで前記各部を制御して前記レコードの単位毎の前記分類データを順次、生成させ、この分類データに前記データベースの分類データを更新させるデータ変換制御手段とを備えたことを要旨とする。
【００３２】
請求項４においては、データ変換手段が各種制御情報のポイントが決定すると、その決定した最終ポイントまで各手段を制御して１レコード当たりのレコードデータを作成させる。そして、このレコードデータに対応するデータベースのレコードファイルを更新する。
【００３３】
【発明の実施の形態】
図１は本発明の実施の形態の発電システムの登録制御情報複写装置の概略構成図である。
【００３４】
図１の登録制御情報複写装置２０は、メーカ側に配置されるものである。この登録制御情報複写装置２０は、発電所側の制御用計算機３のデータベース７の登録データを記憶した記憶媒体１９の挿入に伴って、その記録媒体の記憶データを種別毎に、かつ項目毎に分類して本装置のデータベースにファイリングする。
【００３５】
この記憶媒体１９の記憶データは、データベース７に登録されているものと同様なデータであり、種別毎にテーブル化されている。
【００３６】
例えば、アナログ入力用のリスト、接点入力用のリスト、パルス入力用のリスト、計算値用のリスト、アナログ出力用のリスト等がテーブル化されている。
【００３７】
そして、そのファイルの情報に基づいて本装置のデータベースに予め設けられた種別毎にそれぞれ統一されたレコードファイルを更新して、発電所の制御計算機３のデータベース７の内容と同様な基準値設定用帳票１１ａ及び信号位置設定帳用票１３ａを自動印刷する。
【００３８】
また、オペレータの要望により、種別毎のファイルの情報を所定の形式で表示部２１に表示する。
【００３９】
この登録制御情報複写装置２０は、図１に示すように、変換形式設定部２４と、データ変換部２５と、データベース２６と、帳票作成部２７と、帳票印刷部２８、変更履歴格納制御部２９とを備えている。
【００４０】
変換形式設定部２４は、表示部２１に本装置が管理するユーザの制御装置のシステム名と、記憶媒体１９の種類（フロッピィディスク、カードＭＴ）を表示し、選択されたシステム名をデータ変換部２５及び帳票作成部２７に設定すると共に、選択された記憶媒体１９の種類をデータ変換部２５に設定する。
【００４１】
データ変換部２５は、設定されたシステムの種類及び記憶媒体の種類に応じた形式でフロッピィディスク又はカードＭＴ（以下ＣＭＴという）等の記録媒体１９の登録データを解読し、アナログ入力、デジタル入力、パルス入力、計算機入力、定数、アナログ出力、デジタル出力、パルス出力等の種別毎に、それぞれの種別のＰＩＤ、ＩＩＤ、名称、計算機レンジ、センサ等の項目に分類し、これらの分類データを１レコード単位にして、Ｏｒａｃｌｅ（登録商標）のデータベース２６の対応する種別のレコードファイルを更新する。
帳票作成部２７は、データベース２６の種別毎に統一されたレコードファイルを読み、それぞれの種別に対応して設けた統一された帳票フォーマットに、レコードファイルのデータを書き込んで帳票印字部２８を用いて基準値設定用帳票１１ａ又は信号位置設定用帳票１３ａ等を印刷させる。
【００４２】
変更履歴格納制御部２９は、データベース２６に格納されている種別毎のレコードファイルを表示部２１に表示したとき、そのレコードファイルのいずれかの情報が変更されると、その変更理由を入力させる。そして、この変更理由をそのレコードファイルに対応させてデータベース２６に登録する。
【００４３】
＜データ変換部の構成＞
データ変換部２５は、図２に示すように、ポイントデータ抽出手段３０と、レコード化手段３１と、データベース更新手段３２と、データ変換制御手段３３とを備えている。
【００４４】
ポイントデータ抽出手段３０は、設定されたシステムの種類及び記憶媒体の種類に応じた形式で記録媒体１９の種別毎の各テーブルの３段を１ポイントのデータとして抽出する。
【００４５】
このテーブルはワードテーブルとも称し、図２に示すようにアナログ入力用、デジタル入力用等毎に、ＰＩＤ用のワードテーブル、和文名称テーブル、計算機レンジテーブル等からなっている。
【００４６】
レコード化手段３１は、１ポイントのデータが取り出される毎に、このポイントの内容の項目情報を後述する所定の形式に分類し、この分類データを１レコードとしてデータベース更新手段３２に出力してデータベース２６の各種別毎のレコードファイルを更新させる。
【００４７】
このデータベース２６には、種別に応じた形式にフォーマットされた種別毎のレコードファイルが予め生成されている。
【００４８】
例えば、図２に示すように、アナログ入力用のリストのレコードファイル３５ａ〜３５ｎ、デジタル入力用のリストのレコードファイル３６ａ〜３６ｎ等が予めフォーマットされている。
【００４９】
データベース更新手段３２は、レコード化手段３１で１レコード単位の分類データが得られる毎に、この分類データに対応するデータベース２６のレコードファイルを更新する。
【００５０】
データ変換制御手段３３は、オペレータによって入力されたシステム名、媒体種類等をポイントデータ抽出手段３０に設定し、記憶媒体１９の全ての記憶データが全て変換されるまで、データベース更新手段３２、ポイント抽出手段３０を制御する。
【００５１】
上記のように構成された発電システムの登録制御情報複写装置の動作を図３のフローチャートを用いて説明する。
【００５２】
変換形式設定部２４は、表示部２１に、各ユーザの制御計算機のシステム名を表示し、これらの内で選択されたシステム名をデータ変換部２５及び帳票作成部２７に設定する（Ｓ３０１）。
【００５３】
そして、表示している記憶媒体１９の種類が選択されると、その記憶媒体１９の種類をデータ変換部２５に設定する（Ｓ３０３）。
【００５４】
次に、データ変換部２５のポイントデータ抽出手段３０は、変換形式設定手段２４によって設定されたシステム名及び記憶媒体の種類に基づいた形式で記憶媒体１９の各ワードテーブルを読み込む（Ｓ３０５）。
【００５５】
そして、ポイントデータ抽出手段３０は、ワードテーブルの３段を１ポイントとして分類し、このポイントに必要な情報を取り出す（Ｓ３０７）。
【００５６】
次に、１ポイントに必要な情報を各ワードテーブルから全て取り出したかどうかを判断する（Ｓ３０９）。
【００５７】
ステップＳ３０９で各ワードテーブルから１ポイントに必要な情報を全て取り出していない場合は処理をステップＳ３０７に戻して全て取り出す。
【００５８】
また、ステップＳ３０９で１ポイントに必要な情報を全て取り出したと判定した場合は、そのポイントの各情報をＯｒａｃｌｅのデータベース２６の形式にデータ変換を行い、これらを１レコード単位の分類データとする（Ｓ３１１）。
【００５９】
この１レコード単位の分類データは、図４に示すように、ＰＩＤ、ＩＩＤ、和文名称、英文名称、ＰＡＬ等からなっている。すなわち、図８に示す３段に渡る欄に記載された情報を、所定順（分類度の重み）に応じて一列に整列させ、これを１レコードとしている。つまり、１レコードファイルには、先頭から終わりまで、何を入れるかが決まっている。
【００６０】
そして、データベース更新手段３２は、１レコード単位の分類データが得られる毎に、この分類データに対応するデータベース２６のレコードファイルを更新する。
【００６１】
例えば、アナログ入力の分類データの場合は、図２に示しているファイル３５ａを更新する。
【００６２】
次に、データ変換制御手段３３は、一種別における全ポイントの情報の取り出しが終了したかどうかを判定する（Ｓ３１５）。ステップＳ３１５で全ポイントの情報の取り出しが終わっていない場合は、その種別上の次のポイントに更新して処理をステップＳ３０７に戻して（Ｓ３１９）、次のポイントの分類データを取り出させる。
【００６３】
また、ステップＳ３１５で一種別における全ポイントデータの取り出しが終了したと判定したときは、全種別が終了したかどうかを判断する（Ｓ３１７）。  ステップＳ３１７で全入力種別が終了していないと判定したときは、次の入力種別に更新して（Ｓ３２１）、処理をステップＳ３０７に戻す。
【００６４】
従って、データベース２６の各種別毎のレコードファイルは、この１レコードの情報に自動更新される。
【００６５】
そして、帳票作成部２７は、データベース２６の種別毎のレコードファイルを読み、それぞれのレコードファイルの情報を、オペレータによって選択された帳票フォーマットに書き込んで帳票印字部２８に帳票を印刷させる。
【００６６】
例えば、基準値設定帳票１１ａの場合は、図５に示すように印刷される。また、信号位置設定帳票１３ａの場合は図６に示すように印刷される。
【００６７】
すなわち、従来の帳票のように手書きではないので、非常に分かりやすく、かつその情報も自動更新されたものであるから信頼ができる。
【００６８】
さらに、種別毎に、それぞれ統一されたレコードファイルから種別毎に、それぞれ統一された帳票に印字するので、発電所側の制御計算機の仕様に関係なく、統一された形式で印刷される。
【００６９】
なお、変更履歴格納制御部２９を用いて、レコードファイルの情報を変更したときは、そのレコードファイルを印刷したとき、その理由も合わせて印字させてもよい。
【００７０】
【発明の効果】
以上のように請求項１によれば、記憶媒体から発電所本体の各種制御情報を、発電設備及び信号の種別並びにその各種制御情報の項目のデータ毎に分類し、予め設定されている帳票フォーマットに分類したデータを書き込んで自動印刷させる。
【００７１】
このため、手作業で発電所の制御計算機の登録データと同様な帳票を作成しなくともよいと共に、発電所側の制御計算機の登録データを容易に統一した形式でファイリングできるので、どのような制御計算機であっても一目で分かる帳票にして発行できるという効果が得られている。
【００７２】
請求項２によれば、記憶媒体の各種制御情報の種別毎に、それぞれ所定項目を１ポイントとして抽出し、この１ポイント分のデータを所定順に一列に整理し、これをレコードデータとして登録されているレコードデータに対応する種別のレコードファイルを更新する。
【００７３】
このため、各種制御情報の変更が多岐に渡っても、関連する情報を容易に検索できるので、メーカ側では短時間で発電所側の状況と一対の全ての帳票を得ることができるという効果が得られている。
【００７４】
請求項３によれば、各種制御情報のいずれかが変更されると、その変更理由を入力させ、その種別の項目に付加してファイルするようにしたので、何故その項目を変更したのかを、時間が経過してもメーカ側は容易に分かるという効果が得られている。
【００７５】
また、メーカ側のファイルと発電所側の登録データとを誤りなく一致させることができるので、発電所側の仕様変更、障害の発生に直ぐに対処できるという効果が得られている。
【００７６】
請求項４によれば、各種制御情報のポイントが決定すると、その決定した最終ポイントまで各手段を制御して１レコード当たりのレコードデータを作成させ、このレコードデータに対応するデータベースのレコードファイルを更新する。
【００７７】
このため、メーカ側では短時間で発電所側の状況と一対の全ての帳票を容易に得ることができるので、メーカ側の作業時間を大幅に短縮できるという効果が得られている。
【図面の簡単な説明】
【図１】本発明の実施の形態の発電システムの登録制御情報複写装置の概略構成図である。
【図２】データ変換部の概略構成図である。
【図３】発電システムの登録制御情報複写装置の動作を説明するフローチャートである。
【図４】１レコードを説明する説明図である。
【図５】本発明で得られる基準値設定帳票１１ａを説明する説明図である。
【図６】本発明で得られる信号位置設定帳票１３ａを説明する説明図である。
【図７】従来の発電システムの概略構成図である。
【図８】従来の基準値設定帳票を説明する説明図である。
【図９】従来の信号位置設定帳票を説明する説明図である。
【符号の説明】
１  発電部本体
３  制御計算機
５  監視センタの表示部
１９  記憶媒体
２０  登録制御情報複写装置
２４  変換形式設定部
２５  データ変換部
２６  データベース
２７  帳票作成部
２８  帳票印刷部
２９  変更履歴格納制御部
【図１】
0003667459.tif 000002
【図２】
0003667459.tif 000003
【図３】
0003667459.tif 000004
【図４】
0003667459.tif 000005
【図５】
0003667459.tif 000006
【図６】
0003667459.tif 000007
【図７】
0003667459.tif 000008
【図８】
0003667459.tif 000009
【図９】
0003667459.tif 000010